(57)【特許請求の範囲】
【請求項１】
両端部にそれぞれ封装された一対のフィラメント電極、内面に形成された蛍光体層および内部に封入された放電媒体を備え、上記両端部同士が対向するように環形に形成された環形のバルブと；
上記一対のフィラメント電極の各端部にそれぞれ接続されて、上記バルブの両端部から外部へそれぞれ延出する一対のリード線と；
上記バルブの両端部間に跨ってバルブ外面に沿って回動自在に配設された中空円筒状の口金本体、この口金本体の外面側に配設されて上記リード線に接続される口金ピン、上記口金本体内に上記リード線を上記口金本体の径方向に互いに離反して引き回すように配設され、口金本体の回動角を所定範囲内に規制するリード線規制部材を備えた口金と；
を具備し、
上記リード線規制部材が上記口金本体内面から内方へ突出するように配設された柱状リブであり、
上記口金本体は、上記口金ピン及び柱状リブが配設された半円筒状の第１の口金本体及びこの第１の口金本体と結合される半円筒状の第２の口金本体から構成されており、この第２の口金本体の内面には、上記柱状リブと当接してリード線の第２の口金本体側への変位を規制する変位規制部材が設けられていることを特徴とする環形蛍光ランプ。
【請求項２】
上記リード線規制部材は、上記口金本体の回動角を９０°〜２７０°の範囲内に規制していることを特徴とする請求項１記載の環形蛍光ランプ。
【請求項３】
環形蛍光ランプと、
この環形蛍光ランプが取り付けられる照明器具本体と；
この環形蛍光ランプに電力を供給する点灯回路と；
を具備し、
上記環形蛍光ランプは、
両端部にそれぞれ封装された一対のフィラメント電極、内面に形成された蛍光体層および内部に封入された放電媒体を備え、上記両端部同士が対向するように環形に形成された環形のバルブと；
上記一対のフィラメント電極の各端部にそれぞれ接続されて、上記バルブの両端部から外部へそれぞれ延出する一対のリード線と；
上記バルブの両端部間を跨ってバルブ外面に沿って回動自在に配設された中空円筒状の口金本体、この口金本体の外面側に配設されて上記リード線に接続される口金ピン、上記口金本体内に上記リード線を上記口金本体の径方向に互いに離反して引き回すように配設され、口金本体の回動角を所定範囲内に規制するリード線規制部材を備えた口金と；
を具備し、
上記リード線規制部材が上記口金本体内面から内方へ突出するように配設された柱状リブであり、
上記口金本体は、上記口金ピン及び柱状リブが配設された半円筒状の第１の口金本体及びこの第１の口金本体と結合される半円筒状の第２の口金本体から構成されており、この第２の口金本体の内面には、上記柱状リブと当接してリード線の第２の口金本体側への変位を規制する変位規制部材が設けられていることを特徴とする照明器具。
【発明の詳細な説明】
【技術分野】
【０００１】  本発明は環形バルブに対して所定角度で回動する口金を有する環形蛍光ランプおよびその環形蛍光ランプを備えた照明器具に関する。
【背景技術】
【０００２】  従来、この種の環形蛍光ランプの一例としては、特許文献、特開平１１−１６２３２９号公報に記載されたものがある。これに記載の環形蛍光ランプは、口金が外嵌される円環形ガラスバルブの両端部の一方に、環状の凹部（括れ部）を形成し、この環状凹部内に周方向に所要の間隔を置いて複数の規制部材を固着し、これら規制部材間に突出する突起部を口金の内面に突設したものである。【０００３】  したがって、口金の突起部がその両側の規制部材間を変位し得る角度だけ、口金をバルブに対し回動し得るが、それ以上の回動を規制することができる。【０００４】  しかしながら、このような従来の環形蛍光ランプでは、その環形バルブの両端部の少なくとも一方の環状凹部内に規制部材を固着すると共に、これら規制部材間の間隙に突出する突起を口金側に突設しなければならず、その構成が必ずしも簡単ではないうえに、これら規制部材と突起の位置決め精度によって口金の回動規制角にばらつきが発生し易い、という課題がある。【０００５】  また、一般に、環形バルブの形状が円環形である場合には、口金も環形バルブの曲率と同様に湾曲している。このために、口金のみを軸心回りに回動させる場合には、口金と環形バルブの湾曲方向が互いにずれて行き、所定の回動角度になると口金内面と環形バルブの端部外面とが係合して回動を阻止するので、比較的容易に口金の回動角を規制することができる。【０００６】  しかし、環形バルブの環形状であって口金が外嵌されるバルブの両端部がほぼ直線状に対向配置される場合には、これらバルブの両端部間に跨設される口金もまたほぼ直線状となる。このため、口金がリード線を介してバルブに接続されていない場合には、構造上口金の回動はほぼ無限となるので、その回動角を確実に規制する手段が必要になってくる。【０００７】発明の開示
本発明は、このような事情を考慮してなされたもので、その目的は、回動角規制手段としてバルブ側に突起等の規制部材を形成することなく口金の回動角を所定範囲に規制することができる環形蛍光ランプおよび照明器具を提供することにある。【０００８】
上記の目的を達成するために提供される本発明の環形蛍光ランプは、両端部にそれぞれ封装された一対のフィラメント電極、内面に形成された蛍光体層および内部に封入された放電媒体を備え、上記両端部同士が対向するように環形に形成された環形のバルブと；上記一対のフィラメント電極の各端部にそれぞれ接続されて、上記バルブの両端部から外部へそれぞれ延出する一対のリード線と；上記バルブの両端部間に跨ってバルブ外面に沿って回動自在に配設された中空円筒状の口金本体、この口金本体の外面側に配設されて上記リード線に接続される口金ピン、上記口金本体内に上記リード線を上記口金本体の径方向に互いに離反して引き回すように配設され、口金本体の回動角を所定範囲内に規制するリード線規制部材を備えた口金と；を具備し、上記リード線規制部材が上記口金本体内面から内方へ突出するように配設された柱状リブであり、上記口金本体は、上記口金ピン及び柱状リブが配設された半円筒状の第１の口金本体及びこの第１の口金本体と結合される半円筒状の第２の口金本体から構成されており、この第２の口金本体の内面には、上記柱状リブと当接してリード線の第２の口金本体側への変位を規制する変位規制部材が設けられていることを特徴とする。
【０００９】  なお、上記のリード線は、フィラメント電極の各端部に接続されるものであり、口金内に、長さに若干余裕を持って配線されている。【００１０】  また、本発明の好適な実施例によれば、上記リード線規制部材は、上記口金本体の回動角を９０°〜２７０°の範囲内、好ましくは９０°〜１２０°の範囲内に規制するようにしてもよい。【００１１】  また、上記リード線規制部材が上記口金本体内面から内方へ突出するように配設された柱状リブであることが好ましい。この場合、上記口金本体は、上記口金ピン及び柱状リブが配設された半円筒状の第１の口金本体及びこの第１の口金本体と結合される半円筒状の第２の口金本体と、から構成されており、この第２の口金本体の内面には、上記柱状リブと当接してリード線の第２の口金本体側への変位を規制する変位規制部材を設けることもできる。【００１２】  また、リード線規制部材は、各フィラメントから延出される一対のリード線が接続される一対の口金ピンの間隔以上に一対のリード線を互いに離反させるものであることが好ましい。【００１３】  また、上記目的は、上記の構造を備えた環形蛍光ランプと、この環形蛍光ランプが取り付けられる照明器具本体と、この環形蛍光ランプに電力を供給する点灯回路と、を具備した照明器具を提供する事により達成される。【００１４】  上記の特徴を有する本発明の環形蛍光ランプ、及びそれを備えた照明器具によれば、口金が回動すると、その分、リード線が軸方向に引っ張られ、その引張限度がリード線規制部材により規制されるので、口金のそれ以上の回動が規制される。すなわち、リード線の引張限度により口金の回動角が規制される。【００１５】  また、リード線規制部材は、リード線を、相互に近接配置された口金ピンの外側へ迂回するように配線させるので、隣り合うリード線同士が接触してショートするのを未然に防止することができる。【００１６】  また、上記の好適な実施例によれば、口金全体が９０°〜２７０°の範囲内、好ましくは９０°〜１２０°の範囲内で回動するので、照明器具本体のソケットへの着脱の容易性を向上させることができる。また、リード線規制部材が口金の柱状リブであるので、このリード線規制部材の構成が簡素であり、口金全体の金型などにより口金全体と一体に、容易に形成することができる。【００１７】  また、仮に一対のリード線がリード線規制部から外れた場合でも、一対のリード線が第２の口金本体側へ変位して相互に近接ないし接触することを防止することができる。このために、口金の回動規制と一対のリード線同士のショートを確実に防止することができる。
【図面の簡単な説明】
【００１８】
【図１】本発明の一実施形態に係る環形蛍光ランプの要部平面図。
【図２】図２は図１で示す環形蛍光ランプの口金が回動されたときに、その回動角が規制される作用を説明する要部平面図。
【図３】図１で示す第１の口金本体を第２の口金本体に結合して口金に組み立てた後の図１のＩＩＩ−ＩＩＩ線断面図。
【図４】図１で示す第１の口金本体を含む口金を備えた環形蛍光ランプの全体構成を示す一部開放平面図。
【図５】図１で示す第１の口金本体の内面側の平面図。
【図６】図５で示す第１の口金本体の外面側の平面図。
【図７】図５で示す第１の口金本体の正面図。
【図８】図５の右側面図。
【図９】本発明の一実施形態に係る第２の口金本体の内面側の平面図。
【図１０】第２の口金本体の右側面図。
【図１１】本発明の第２の実施形態に係る照明器具の平面図。
【発明を実施するための最良の形態】
【００１９】  以下、本発明の実施形態を添付図面に基づいて説明する。なお、これら添付図面中、同一または相当部分には同一符号を付している。【００２０】  図１は本発明の一実施形態に係る環形蛍光ランプの口金部分を示す拡大断面図であり、口金を回動する前の状態、図２は回動が規制された状態をそれぞれ示している。図３ないし図１０は同上環形蛍光ランプの全体構成および、口金本体の構成を示す図面である。【００２１】  図４は、同一平面状で角形に形成された環形蛍光ランプを示し、この環形蛍光ランプ１はガラス製バルブ２の両端部２ａ，２ｂを、所要の間隔を置いて対向配置し、これら両端部２ａ，２ｂの外面に、中空円筒状の口金３を、これら両端部２ａ，２ｂ間を跨るように装着している。また、口金３はバルブ両端部２ａ，２ｂの管軸がほぼ回動中心になるようにバルブ２の外面に沿って回転自在に外嵌されている。【００２２】  バルブ２は、例えば１本の直管状ガラスバルブの曲げ加工により、一平面上にてほぼ正方形に形成されており、複数の直管部２ｃ，２ｃ，…と、複数の屈曲部２ｄ，２ｄ，…とを有する。【００２３】  各直管部２ｃの管外径は、例えば１２〜２０ｍｍの範囲内であり、ランプ効率などのランプ特性や製造条件を考慮した場合に於ける管外径の最適範囲は１４〜１８ｍｍである。なお、屈曲部２ｄ近傍の直管部２ｃは屈曲部の曲げ加工において若干管外径が変化して部分的に上記範囲から外れることが考えられるが、本発明の場合、直管部２ｃの大部分が上記範囲内であればよい。なお、直管部２ｃの肉厚は約０．８〜１．２ｍｍ程度とするのがよい。【００２４】  バルブ２は、ソーダライムガラスなどの軟質ガラスで形成されるが、ほうけい酸ガラスなどの半硬質ガラス製であってもよい。バルブの肉厚は０．８〜１．２ｍｍ程度が望ましいがこれに限定されない。【００２５】  バルブ２の内面に塗布される蛍光体層（膜）４は、屈曲部２ｄの形成前に１本の直管状ガラスバルブ２全体に形成されている。【００２６】  蛍光体層４を構成する蛍光体は、三波長発光形蛍光体、ハロ燐酸塩蛍光体など周知の蛍光体で構成可能であるが、発光効率の観点から三波長発光形蛍光体の使用が好ましい。【００２７】  三波長発光形の蛍光体としては、４５０ｎｍ付近に発光ピーク波長を有する青系蛍光体としてＢａＭｇ２Ａｌ１６Ｏ２７：Ｅｕ２＋、５４０ｎｍ付近に発光ピーク波長を有する緑系蛍光体として（Ｌａ，Ｃｅ，Ｔｂ）ＰＯ４、６１０ｎｍ付近に発光ピーク波長を有する赤系蛍光体としてＹ２Ｏ３：Ｅｕ３＋などが適用可能であるが、これらに限定されない。【００２８】  なお、バルブ２の内面と蛍光体層４との間に、図示しない保護膜を介在させてもよい。保護膜としては金属酸化物微粒子から構成したものが好適であり、金属酸化物微粒子には、アルミナ（Ａｌ２Ｏ３）やリン酸ストロンチウム（Ｓｒ２Ｐ２Ｏ７）などの微粒子を用いることが可能である。【００２９】  口金３は、ＰＢＴ（ポリブチレンテレフタレート）やＰＥＴ（ポリエチレンテレフタレートン）、ＰＣ（ポリカーボネイト）等の合成樹脂によりほぼ直状円筒状に形成され、図４〜図７で示す半円筒状の第１の口金本体（Ｐ体）５と、図９〜図１０で示す半円筒状の第２の口金本体（��体）６と、を図３に示すようにその径方向開口端同士を結合させることにより、軸方向両端開口の円筒状に形成される。【００３０】  図６、図７に示すように、第１の口金本体５は、その外面ほぼ中央部に角形の凹部５ａを形成し、この凹部５ａの底部５ｂ上に、中空円筒状の４本の口金ピン５ｃ、５ｃ、…をほぼ正方格子状に配列して垂直に立設している。各口金ピン５ｃの内外両端は開口している。【００３１】  図５に示すように、これら口金ピン５ｃ、５ｃ・・・の正方格子状配列の中央部には円柱状リブ５ｄが突設され、このリブ５ｄに図示しない取付ねじを挿通させる挿通孔５ｅが穿設されている。【００３２】  図５はこの第１の口金本体５の内面を図示しており、各口金ピン５ｃは、その底面にリード挿入孔５ｃａをそれぞれ開口させている。これら各リード挿入孔５ｃａ内には、図１で示す左右１組の一対のリード線のアウタリード７、８がそれぞれ挿入され、各口金ピン５ｃ、５ｃ、…のカシメや溶接等により各口金ピン５ｃ、５ｃ、…に機械的かつ電気的に接続される。【００３３】  図１に示すように各組の一対のアウタリード７、８は、図中、上下一対７ａ、７ｂ、８ａ、８ｂを有している。リード線はアウタリード７、８の他に、バルブ両端部２ａ、２ｂ内にそれぞれ封装された一対の電極９、１０の軸方向両端を支持する一対のインナーリード９ａ、９ｂ、１０ａ、１０ｂと、ガラスステム１１、１２に封着される封着線９ｃ、９ｄ、１０ｃ、１０ｄから成り、全体としてバルブ両端部２ａ、２ｂを気密に貫通して外部に延出するものである。図１中左右一対のステム１１、１２の少なくとも一方には、バルブ２内に連通するガラス製細管よりなる排気管１３を設けている。バルブ２内には、放電媒体として水銀と希ガスが封入されている。但し、この放電媒体としては、水銀を省略して希ガスのみをバルブ２内に封入してもよい。【００３４】  そして、図１に示すように第１の口金本体５は、凹部５ａの底部５ｂの内面の左右一対の側辺には、図１中、上下一対の角柱状のリード線規制リブ１４ａ、１４ｂ、１５ａ、１５ｂをリード線規制部材としてそれぞれ一体に突設している。【００３５】  図１または図５に示すように各リード線規制リブ１４ａ、１４ｂ、１５ａ、１５ｂは口金ピン５ｃ…の正方格子配列の径方向よりも外側を通す位置に配設されている。すなわち、リード線規制リブ１４ａ、１４ｂ、１５ａ、１５ｂは、一対のアウタリード７、８が口金本体５、６の径方向に互いに離反して引回すように第１の口金本体５の内面に配設されている。なお、図１、図５中、符号１６ａ、１６ｂは第１の口金本体５の上下一対の係合突起、１７は第１の口金本体５の内面から内方へほぼ垂直に起立して、バルブ端部２ｂの先端外面のほぼ中央部に当接して口金３をバルブ２に取り付ける際の取付位置を位置決めする角柱状の位置決め用リブである。【００３６】  図９の内面平面図に示すように、第２の口金本体６はその内底面のほぼ中央部上に、図示しない取付ねじに螺合するねじ孔１８ａを形成した円柱状の柱状リブ１８を突設し、この柱状リブ１８の図９中上方と下方とに係合孔１９ａを形成した上下一対の円柱状のリブ１９、１９をそれぞれ突設している。これらリブ１９、１９は、その係合孔１９ａ、１９ｂ内に、第１の口金本体Ｍ体５の上下一対の係合突起１６ａ、１６ｂをそれぞれ係合することにより位置決めされ、この状態で図示しない取付ねじを挿通孔５ｅを介してねじ孔１８ａに螺合することで結合させて、円筒状の口金３を構成するようになっている。【００３７】  また、第２の口金本体６は、柱状リブ１８の図９中左右にて、図１０の右側面図にも示すように、上下一対の変位規制リブ２０ａ、２０ｂ、２１ａ、２１ｂを一体に突設している。【００３８】  図３に示すように、これら変位規制リブ２０ａ、２０ｂ、２１ａ、２１ｂは、その第２の口金本体６の開口端側自由先端面が各リード線規制リブ１４ａ、１４ｂ、１５ａ、１５ｂの自由先端面に当接する位置にそれぞれ配設されている。なお、第２の口金本体６の開口側自由先端と、リード線規制リブ１４ａ、１４ｂ、１５ａ、１５ｂの自由先端面とは必ずしも当接しなくてもよく、これら自由先端面同士間に間隙があってもよい。但し、この間隙はアウタリード７ａ、７ｂ、８ａ、８ｂの直径よりも小さい微小間隙であることを要する。これにより、アウタリード７ａ、７ｂ、８ａ、８ｂがリード線規制リブ１４ａ、１４ｂ、１５ａ、１５ｂを乗り越えて第２の口金本体６側へ変位し、一対のアウタリード７、８または９、１０同士が近接する方向に移動することを規制することができる。【００３９】  このように構成される口金３の主な寸法の一例は次の通りである。【００４０】  ［第１の口金本体５（図５参照）］
全長：５０．０±０．５ｍｍ
外径：１９．６±０．５ｍｍ
凹部５ａの底部５ｂの長さ：２０．０±０．３ｍｍ
第１の口金本体５の直径方向で対向する一対のリード線規制リブ１４ａと１４ｂ、１５ａと１５ｂ同士の対向間隔：９．０±０．３ｍｍ
各リード線規制リブ１４ａ，１４ｂ、１５ａ，１５ｂの軸直交断面の一辺の長さ：２．０±０．５ｍｍ（但し、リード線規制リブが円柱形状の場合には外径寸法に換算）
各口金ピン５ｃの中心から各リード線規制リブ１４ａ、１４ｂ、１５ａ、１５ｂまでの長さ方向寸法：６．０±０．３ｍｍ
［第２の口金本体６（図９参照）］
全長：５０．０±０．５ｍｍ
外径：１９．６±０．５ｍｍ
第１の口金本体５の直径方向で対向する一対の変位規制リブ２０ａと２０ｂ、２１ａと２１ｂ同士の対向間隔：９．０±０．３ｍｍ
各変位規制リブ２０ａ、２０ｂ、２１ａ、２１ｂの厚さ（第２の口金本体５の長さ方向の寸法）：２．０±０．５ｍｍ
次に、この環形蛍光ランプ１の作用について説明する。【００４１】  まず、バルブ２の両端部２ａ，２ｂ外面に口金３を取り付ける場合は、図１に示すように、各アウタリード７ａ、７ｂ、８ａ、８ｂの自由先端部を各リード線規制リブ１４ａ、１４ｂ、１５ａ、１５ｂの径方向外側へ通してから、各口金ピン５ｃの挿通孔５ｃａ内へ挿通させる。そして、口金３の第１の口金本体５をバルブ両端部２ａ、２ｂ間上に被せ、一方のバルブ端部、例えば２ｂの先端外面を位置決めリブ１７に当接させて位置決めする。その次に、挿通状態のアウタリード７ａ、７ｂ、８ａ、８ｂが図１に示すように若干撓んだ状態となるように口金３内のアウタリード７ａ、７ｂ、８ａ、８ｂの長さを確保し、各口金ピン５ｃの外端部の径方向のカシメにより、各口金ピン５ｃに固着し接続する。【００４２】  しかる後に、この第１の口金本体５の開口端上に、第２の口金本体６の開口端を被せ、第１の口金本体５の各係合突起１６ａ、１６ｂが第２の口金本体６の各係合孔１９ａ、１９ｂ内に係合されて位置決めされる。【００４３】  この後、図示しない取付ねじを第１の口金本体５のねじ挿通孔５ｄ内に挿通し、ねじ込むことにより第２の口金本体６の柱状リブ１８のねじ孔１８ａ内にねじ込み、第１の口金本体５と第２の口金本体６を強固に結合させる。【００４４】  こうしてバルブ２に口金３を装着した後で、図２（図面はバルブ両端部２ａ，２ｂがその軸心回りに相対的に回動した状態を示す。）に示すように口金３を、バルブ両端部２ａ、２ｂの軸心回りに一方向に回動させると、図２中、例えば上側のアウタリードの途中が図中上側の配線規制リブ１４ａ、１５ａの図中上面上に当接し、軸方向に引っ張られる。【００４５】  このために、上側のアウタリード７ａと８ａが引張限度に到達して緊張すると、反回動方向に押し戻そうとするテンションが大きくなり、所定の回転角度にまで回動すると口金３の回動角が限界に到達し、それ以上の回動が規制される。【００４６】  そして、これとは逆方向に口金３を回動させた場合には、図２中、下側のアウタリード７ｂ、８ｂの途中が図中下側のリード線規制リブ１４ｂ、１５ｂに当接し、緊張するので、同様に口金３の回動角を３６０°未満、例えば９０°〜２７０°、好ましくは９０°〜１２０°の範囲に規制することができる。【００４７】  また、この環形蛍光ランプ１によれば、上記従来例のようにバルブ両端部２ａ、２ｂに環状凹部（括れ部）を形成する必要がないので、バルブ２の加工の容易性と迅速性を向上させることができる。なお、本発明は環状凹部の採用を妨げるものではなく、必要に応じて環状バルブ２の少なくとも一方の端部に環状凹部を形成してもよい。【００４８】  さらに、口金３にリード線規制リブ１４ａ、１４ｂ、１５ａ、１５ｂを単に形成する簡単な構成により口金３の回動角を簡単かつ確実に規制することができる。【００４９】  また、アウタリード７ａ、７ｂ、８ａ、８ｂの長さを単に適宜調節することにより、口金３の回動角を簡単かつ迅速に調節することができる。【００５０】  さらにまた、口金３にバルブ２の取付位置を位置決めする位置決めリブ１７を形成しているので、口金３をバルブ２に取り付ける際の位置決めを簡単迅速に行なうことができる。【００５１】  さらに、各アウタリード７ａ、７ｂ、８ａ、８ｂをリード線規制リブ１４ａ、１４ｂ、１５ａ、１５ｂの径方向外側へ通すので、これら各アウタリード７ａ、７ｂ、８ａ、８ｂが口金３の回動時によじれて相互に接触してショートするのを防止することができる。【００５２】  但し、アウタリード７ａ、７ｂ、８ａ、８ｂに図示しない電気絶縁チューブを被せることにより、ショート防止の確実性を一段と向上させてもよい。【００５３】  また、上記実施形態では左右一対の配線規制リブ１４ａ、１４ｂ、１５ａ、１５ｂをそれぞれ設ける場合について説明したが、本発明はこれに限定されるものではなく、例えばその左右１組の配線規制リブ１４ａ、１４ｂ、１５ａ、１５ｂの一方を省略してもよい。【００５４】  さらに、上記実施形態では、アウタリード７ａ、７ｂ、８ａ、８ｂを配線規制リブ１４ａ、１４ｂ、１５ａ、１５ｂの外側に単に配線する場合について説明したが、アウタリード７ａ、７ｂ、８ａ、８ｂの途中を配線規制リブ１４ａ、１４ｂ、１５ａ、１５ｂに所要回数巻き付けてもよい。【００５５】  図１１は本発明の第２の実施形態に係る照明器具３１の平面図である。この照明器具３１は、上記図１で示す環形蛍光ランプ１と、この環形蛍光ランプ１を着脱自在に装着する器具本体３２と、この器具本体３２に配設されて、環形蛍光ランプ１に電力を供給する点灯回路３３と、を具備している。【００５６】  器具本体３２は例えば天井に取り付けられ、図示しない反射体、点灯回路３３に電気的に接続されたランプソケットおよび環形蛍光ランプ１を器具本体３２に着脱自在に取り付けるランプホルダー等の保持具を具備している。反射体は例えば白色四角錐形状に形成されて環形蛍光ランプ１の内側にて同心状に配設される。【００５７】  点灯回路３３は商用電源からの電力を得て、これを所要周波数の高周波電力に変換し、これをランプソケットを経て環形蛍光ランプに供給するものである。【００５８】  この照明器具３１によれば、器具本体３２の四角錐形状の白色反射体が四角形の環形蛍光ランプ１の中心にほぼ同心状に配設されているので、器具下側方向への配光特性が四角形になり、四角形状の部屋等の照明空間にほぼ均一に照明することができる。【００５９】また、環形蛍光ランプ１の口金３が、その中心軸回りに、９０°から１２０°の範囲で回動できるので、器具本体３２に設けたランプソケットとの嵌合ないし接続の容易性を向上させることができる。
【図１】
0004788601.tif 000002
【図２】
0004788601.tif 000003
【図３】
0004788601.tif 000004
【図４】
0004788601.tif 000005
【図５】
0004788601.tif 000006
【図６】
0004788601.tif 000007
【図７】
0004788601.tif 000008
【図８】
0004788601.tif 000009
【図９】
0004788601.tif 000010
【図１０】
0004788601.tif 000011
【図１１】
0004788601.tif 000012